(57)【要約】【課題】  電子ペーパＥＰを書き換え装置Ｄから切り離した状態でも、表示されている文書を扱う上で必要となる操作を紙媒体に印刷された文書を扱うような自然な行為で行うことができる作業環境を実現する。【解決手段】  ユーザが電子ペーパＥＰの所望する文書処理に対応するパッシブセンサ４を操作すると、当該操作情報は書き換え装置Ｄの読取部１５で読み取られ、処理部１６がインジケータを点灯させて文書処理が待機状態であることを表示する。ユーザが電子ペーパＥＰを書き換え装置Ｄに装着して接続部５、１２を接続させ、操作部１０から開始指示を入力すると、処理部１６が、判定テーブル１４を参照して、待機していた操作情報に対応する文書処理を行い、ドライバ１７を制御して表示部２に文書画像を書込み表示する。【選択図】  図１
2007199471.tif 000002
【特許請求の範囲】
【請求項１】
文書画像を書き換え可能且つ無電源状態で表示保持する画像表示媒体を書き換え装置に装着して、当該書き換え装置により当該画像表示媒体に対して表示画像の書き換え処理を行う文書処理操作システムであって、
画像表示媒体は、ユーザからの操作入力を受け付ける操作子と、操作子に操作入力された操作情報を無線読み取り可能に送信する情報提供手段と、を有し、
書き換え装置は、装着された画像表示媒体の情報提供手段によって送信された操作情報を無線読み取りする読取手段と、読み取った操作情報に応じて予め設定された文書データに係る処理を行う処理手段と、処理手段による制御に応じて前記操作情報を読み取った画像表示媒体に文書画像を書き込む書込手段と、を有することを特徴とする文書処理操作システム。
【請求項２】
請求項１に記載の文書処理操作システムにおいて、
前記画像表示媒体は、ユーザによる操作を検知する機能と、検知状態となると書き換え装置からの読み取り信号に応答してセンサ識別情報を無線読み取り可能に送信する機能とを有する受動的なセンサを操作の種類に対応して複数有して、当該センサによりユーザからの操作入力を受け付ける操作子と、操作子に操作入力された操作情報を無線読み取り可能に送信する情報提供手段とを構成し、
前記書き換え装置は、センサ識別情報に応じて文書データに係る処理の種類が予め設定された対応テーブルを有し、処理手段により対応テーブルを参照して読み取ったセンサ識別情報に応じて予め設定された文書データに係る処理を行うことを特徴とする文書処理操作システム。
【請求項３】
請求項１に記載の文書処理操作システムにおいて、
前記画像表示媒体は、ユーザによる操作を検知する機能と、検知状態となると書き換え装置からの読み取り信号に応答して無線読み取り可能とするセンサ識別情報を送信する機能とを有する受動的なセンサを操作の種類に対応して複数有して、当該センサによりユーザからの操作入力を受け付ける操作子と、操作子に操作入力された操作情報を無線読み取り可能に送信する情報提供手段とを構成し、更に、自己を識別する媒体識別情報を無線読み取り可能に保持する媒体ＩＤ記憶手段を有し、
前記書き換え装置は、センサ識別情報と媒体識別情報との組み合わせに応じて文書データに係る処理の種類が予め設定された対応テーブルを有し、読取手段によりセンサ識別情報に加えて画像表示媒体から媒体識別情報を無線読み取りし、処理手段により対応テーブルを参照して読み取ったセンサ識別情報と媒体識別情報とに応じて予め設定された文書データに係る処理を行うことを特徴とする文書処理操作システム。
【請求項４】
請求項１乃至３のいずれか１項に記載の文書処理操作システムにおいて、
前記書き換え装置は処理の開始指示をユーザから受け付ける操作手段を有し、前記処理手段は保留している処理を開始指示の入力に応じて開始することを特徴とする文書処理操作システム。
【請求項５】
請求項４に記載の文書処理操作システムにおいて、
前記書き換え装置は処理手段による処理開始を保留している状態を表示するインジケータを有することを特徴とする文書処理操作システム。
【請求項６】
請求項１乃至５のいずれか１項に記載の文書処理操作システムにおいて、
前記画像表示媒体は、前記書込手段のドライバにより書き込み駆動されて文書画像を表示保持する機能を有した自己書き込み型の電子ペーパであることを特徴とする文書処理操作システム。
【請求項７】
請求項１乃至５のいずれか１項に記載の文書処理操作システムにおいて、
前記画像表示媒体は、前記書込手段から投影された文書画像を転写して表示保持する機能を有した光書き込み型の電子ペーパであることを特徴とする文書処理操作システム。
【請求項８】
請求項１乃至７のいずれか１項に記載の文書処理操作システムにおいて、
前記画像表示保持媒体は、ユーザによる操作を検知する機能と検知状態を無線読み取り可能に保持する機能とを有する受動的なセンサを複数有し、当該センサによりユーザからの操作入力を受け付ける複数の操作子と、いずれの操作子に操作入力がなされたかの操作情報を処理装置側が無線読み取り可能に保持する情報提供手段とを構成したことを特徴とする文書処理操作システム。
【請求項９】
文書画像を書き換え可能且つ無電源状態で表示保持する画像表示媒体を装着して、当該画像表示媒体に対して表示画像の書き換え処理を行う書き換え装置であって、
画像表示媒体に無線読み取り可能に送信されたユーザ入力の操作情報を無線読み取りする読取手段と、読み取った操作情報に応じて予め設定された文書データに係る処理を行う処理手段と、処理手段による制御に応じて前記操作情報を読み取った画像表示媒体に文書画像を書き込む書込手段と、を有することを特徴とする書き換え装置。
【請求項１０】
文書画像を書き換え可能且つ無電源状態で表示保持する画像表示媒体を装着して、当該画像表示媒体に対して表示画像の書き換え処理を行う書き換え装置をコンピュータにより構成するプログラムであって、
装着された画像表示媒体に無線読み取り可能に送信されたユーザ入力の操作情報を無線読み取りする読取手段と、読み取った操作情報に応じて予め設定された文書データに係る処理を行う処理手段と、処理手段による制御に応じて前記操作情報を読み取った画像表示媒体に文書画像を書き込む書込手段とを書き換え装置のコンピュータに構成することを特徴とするプログラム。
【請求項１１】
文書画像を書き換え可能且つ無電源状態で表示保持する画像表示媒体にユーザからの操作入力を受け付けて当該操作情報を無線読み取り可能に送信し、
書き換え装置が、装着された画像表示媒体から送信された操作情報を無線読み取りし、読み取った操作情報に応じて予め設定された文書データに係る処理を行い、当該画像表示媒体に文書画像を書き込むことを特徴とする文書処理操作方法。
【発明の詳細な説明】
【技術分野】
【０００１】
本発明は、文書画像を書き換え可能且つ無電源状態で表示保持する画像表示媒体を用いた技術に関し、当該画像表示媒体に入力されたユーザ操作に応じて、文書画像の書き換え処理を行う文書処理操作技術に関する。
【背景技術】
【０００２】
コンピュータを利用したデータ処理により、文書の作成、編集、閲覧等がなされている。
このような電子データ文書の閲覧方法は、一般的に、コンピュータのディスプレイ画面に文書の画像を表示する、或いは、プリンタにより文書の画像を紙媒体である用紙に印刷することにより行われている。
【０００３】
近年では、用紙にとって代わることが可能な文書閲覧のための媒体として、用紙の如く柔軟な薄型で文書画像を書き換え可能且つ無電源状態で表示保持することができる画像表示媒体（所謂電子ペーパ）が開発されている。
このような電子ペーパは、用紙と異なって表示部に表示保持した文書画像を消去したり上書きすることが可能であり、繰り返し使用することができるので紙資源の節約等の観点からも利用促進が望まれている。
【０００４】
ここで、情報の印刷が可能で識別コードが記憶された情報表示媒体に印刷されたコンテンツ情報、及び前記識別コードと前記コンテンツ情報との対応関係を記憶する記憶手段と、前記情報表示媒体から識別コードを読み取る読取手段と、前記読取手段により前記情報表示媒体から読み取られた識別コードと前記情報表示媒体に印刷されたコンテンツ情報との対応関係に基づいて、前記記憶手段からコンテンツ情報を検索し利用する検索手段とを備えたシステム構成とし、紙に印刷された情報をシステムに簡単に取り込んで加工することを容易にする発明が提案されている（特許文献１参照。）。
【０００５】
また、表示装置を、その筐体表面に情報を表示する表示部と、筐体に対する外部からの刺激を検知する検知部と、各部を制御する制御部とを有した構成として、制御部が検知部からの検知信号に従って表示部に表示している地図の表示範囲をスクロールする等、操作ボタン等を必要とすることなく表示部に表示する情報を更新する発明が提案されている（特許文献２参照。）。
【特許文献１】特開２００４―３０２６１４号公報
【特許文献２】特開２００５―１７４００６号公報
【発明の開示】
【発明が解決しようとする課題】
【０００６】
特許文献１の発明は、表示媒体に印刷した文書画像に対応する文書データをコンピュータ処理することが可能となるが、文書データの処理方法は当該コンピュータに対してユーザが操作入力するものである。
特許文献２の発明は、表示装置に設けた各種センサでユーザの動作を検知し、表示している文書のスクロール、縮小拡大、改ページを実行することができるが、表示装置に種々な処理を担う制御部を設けることとなるので、所謂電子ペーパに対する要求（紙媒体のように軽量で安価）を満足させることが困難であった。
【０００７】
ここで、所謂電子ペーパシステムにおいて、文書画像を書き換え可能且つ無電源状態で表示保持する表示部部分と、当該表示部に対する文書画像の書き換え処理を行う書き換え装置部分とを分離できるようにすると、ユーザは複数枚の表示部部分（画像表示媒体）を手軽に扱えるメリットがある。しかしながら、この反面、書き換え装置より切り離されてしまった表示媒体から文書の書き換え操作を行うことができず、表示画像の更新等と言った情報処理技術に基づくメリットを発揮できないと言う課題がある。
【０００８】
本発明は、上記従来の事情に鑑みなされたもので、文書画像を書き換え可能且つ無電源状態で表示保持する画像表示媒体を書き換え装置から切り離した状態でも、画像表示媒体に表示されている文書を扱う上で必要となる操作が、紙媒体に印刷された文書を扱うような自然な行為で行うことができ、しかも、操作入力された指示に基づく処理が画像表示媒体を書き換え装置に接続した際に実行されることにより、画像表示媒体で行った文書処理操作をユーザに余計な手間を掛けることなく自然な行為で容易に且つ的確に行うことができる作業環境を実現することを目的とする。
【課題を解決するための手段】
【０００９】
本発明は、文書画像を書き換え可能且つ無電源状態で表示保持する画像表示媒体に対してユーザが操作した指示操作情報に応じて文書データの処理を行う文書処理操作システム、文書処理操作システムを構成する処理装置、処理装置をコンピュータにより構成するプログラム、文書処理操作システムが実施する文書処理操作方法として実現される。
【００１０】
本発明では、文書画像を書き換え可能且つ無電源状態で表示保持する画像表示媒体は、ユーザからの操作入力を受け付ける操作子と、操作子に操作入力された操作情報を無線読み取り可能に送信（保持）する情報提供手段と、を有している。
そして、書き換え装置は、装着された画像表示媒体の情報提供手段に送信された操作情報を読取手段により無線読み取りし、読み取った操作情報に応じて処理手段により予め設定された文書データに係る処理（画像捲り、画像消去等）を行い、処理手段による制御に応じて書込手段が当該操作情報を読み取った画像表示媒体に文書画像を書き込む。
【００１１】
したがって、例えば画像表示媒体が読取手段から所定の範囲内に入る等すると、書き換え装置は情報提供手段に送信された操作情報を無線読み取りし、当該画像表示媒体が書き換え装置に装着されると、書き換え装置は画像表示媒体に文書画像を変更して書込む、或いは、白紙画像を書き込んで表示画像を消去する等と言った所定の処理を行う。
すなわち、画像表示媒体が書き換え装置から切り離された状態で、ユーザが文書を扱う上で必要となる操作を紙ドキュメントを扱うような自然な行為で行うことができ、そこで予約的に入力された操作が表示媒体を書き換え装置に接続した際に動作することで、画像表示媒体において文書操作を余計な手間を掛けることなく自然な行為で容易に且つ的確に行うことができる。
【００１２】
ここで、操作子と情報提供手段とは別体の装置構成としたり、或いは、操作入力を情報提供手段により直ちに処理装置へ送信するようにしてもよい。このような場合は、例えばパッシブなワイヤレスセンサ（受動的なセンサ、或いは、パッシブセンサ）として知られているデバイスを、操作子に与えられた操作信号を処理装置に送信する手段として採用することが好ましい。
パッシブなワイヤレスセンサは、それ自体に電波を自力で送信するバッテリや複雑な信号発生回路を持たないため、薄型でフレキシブルな紙状の形態を有する画像表示保持媒体（電子ペーパ）と一体化する上で適している。このようなデバイスは、所定の電波信号が外部から供給されると、それをエネルギー源として、電波信号を生成して出力する機能を有する。具体的な構成例としては、電波信号を受信して機械振動を発生させる励振部と、前記励振部が発生した機械振動が伝達されて弾性表面波を発生し、発生した弾性表面波を電気信号に変換して電波信号として出力する送信部とを備えたものなどが知られている（特願２００５―０７５８４２号参照。）。
【００１３】
上記のワイヤレスセンサを図１１を参照して詳しく説明する。
ワイヤレスセンサ５０の構成は、図１１（ａ）にその平面構造を、図１１（ｂ）にその断面構造を示すように、Ｓｉを材料とする基板５１の上面を覆った酸化膜５１ａ上に、弾性表面波（ＳＡＷ：Surface Acoustic Wave）を伝播する誘電体薄膜５２を形成し、この誘電体薄膜５２上に、電気信号と弾性表面波とを変換する一対の櫛型電極（ＩＤＴ：Inter-digital Transducer）５３ａ（５３ｂ）と、櫛型電極５３ａ（５３ｂ）の一方にインピーダンスマッチング部５５ａ（５５ｂ）を介して接続されて外部の装置（送受信装置）と電波信号の送受信を行うアンテナ５４ａ（５４ｂ）と、櫛型電極５３ａ（５３ｂ）の他方に接続したグランド５６ａ（５６ｂ）と、ボタン状の受圧部５８を設けており、グランド５６ａ（５６ｂ）はスルーホール（図示せず）を介して基板５１の裏面側のグランド電極５７と接続している。
【００１４】
受圧部５８は、ワイヤレスセンサ５０から先端を若干突出するように設けてあり、受圧部５８に対応して基板５１の裏面側を異方性エッチングによりテーパ面をなした凹状に形成して、脆弱となった該部分により受圧部５８からの圧力に反応するダイヤフラム５１ｂを構成している。
【００１５】
このワイヤレスセンサ５０に対して送受信装置（後述の実施例では、読取部１５）から電波信号が送信されるとアンテナ５４ａが受信し、アンテナ５４ａが電気信号に変換して櫛型電極５３ａに与える。そして、櫛型電極５３ａが電気信号に従って機械振動することで誘電体薄膜５２に弾性表面波が発生する。この弾性表面波は、誘電体薄膜５２上を櫛型電極５３ａから櫛型電極５３ｂに向かって移動し、櫛型電極５３ｂで電気信号に変換されてアンテナ５４ｂから応答信号として送信される。
ここで、受圧部５８に外部から圧力を加えられると、誘電体薄膜５２が歪むことによってその表面に発生する弾性表面波の振幅、位相差、周波数等の属性が変化し、この弾性表面波の属性の変化に伴って、櫛型電極５３ｂにより電気信号に変換されてアンテナ５４ｂから送信される応答信号が変化する。
したがって、送受信装置は、ワイヤレスセンサ５０から受信する応答信号の変化を解析することで、ワイヤレスセンサ５０の受圧部５８が押されたことを検出できる。
【００１６】
ワイヤレスセンサ５０における弾性表面波の周波数は、櫛型電極５３ａ（５３ｂ）、インピーダンスマッチング部５５ａ（５５ｂ）の形状により設定することができる。そこで、ワイヤレスセンサ５０を複数設ける場合にはワイヤレスセンサ５０毎に弾性表面波の周波数を異ならせればよく、各ワイヤレスセンサ５０からの応答信号の違いによりどのワイヤレスセンサ５０が押されたかを検出できる。すなわち、いずれのワイヤレスセンサ５０が押されたかという操作情報を送受信装置（読取部）へ無線で提供することができる。
【００１７】
なお、例えば、受圧部５８に、押下操作を行う毎に、突出した状態（すなわち、上記歪みを生じさせない状態）と押し下げられた状態（上記歪みを生じさせた状態）とを交互に保持する公知のクリック機構を付加すれば、受圧部５８を押した情報（操作情報）をワイヤレスセンサ５０が保持することができ、このように操作情報を保持したワイヤレスセンサ５０（すなわち、ワイヤレスセンサを設けた電子ペーパ）を送受信装置（読取部）の通信圏内に持ち込むことで、上記と同様にして、ワイヤレスセンサ５０が保持している操作情報を送受信装置（読取部）が応答信号として無線読み取りすることができる。
【００１８】
但し、本発明で記載した操作子に操作入力がなされた操作情報を処理装置へ提供する情報提供手段としては、必ずしも上記のパッシブなワイヤレスセンサに限ったものではなく、操作情報をセンサ自体が一旦保持する機能を有するセンサを採用しても構わない。このようなセンサとしてはＲＦ読取機能とボタン操作情報の保持機能とを有したメモリ素子により操作子と情報保持手段とを一体的に構成し、センサのボタンがユーザ操作されると、この操作されたことの情報を無線読取可能に保持するようにしてもよい。
画像表示媒体に能動的に動作する送受信機能を有するデバイスを付与することが考えられるが、能動的なデバイスは動作電源を必要とするタイプ(アクティブセンサ)であるため、軽量且つ安価性を要求される画像表示媒体には不向きと言える。一方、動作電源を必要としないタイプ(パッシブセンサ)のデバイスは、画像表示媒体にバッテリを搭載する必要がなく、軽量、薄型、低価格を指向する画像表示媒体（電子ペーパ）に適している。
【００１９】
パッシブセンサの代表的な他の例としては無線ＩＣチップＲＦＩＤがある。このＲＦＩＤは、送受信機（リーダ）の近くに近づけると予め設定された情報の送受信が可能となる。
特に、ユーザが複数の表示制御機能の中から選択的に操作を行う場合、パッシブセンサを用いると、それぞれの機能に対応した複数のパッシブセンサを画像表示媒体に設けておく共に、ユーザは必要な機能に対応するパッシブセンサを選択的に操作して、書き換え装置側に読み取らせればよい。
【００２０】
本発明では、より具体的には、例えば、画像表示媒体は、ユーザによる操作を検知する機能と、検知状態となると無線読み取り可能とするセンサ識別情報を送信する機能とを有する受動的なセンサを操作の種類に対応して複数有して、当該センサによりユーザからの操作入力を受け付ける操作子と、操作子に操作入力された操作情報を無線読み取り可能に送信する情報提供手段とを構成し、書き換え装置は、センサ識別情報（すなわち操作情報）に応じて文書データに係る処理の種類が予め設定された対応テーブルを有し、処理手段により対応テーブルを参照して読み取ったセンサ識別情報に応じて予め設定された文書データに係る処理を行う。
したがって、ユーザが複数の表示制御動作の中から１つを上述の方法により選択操作することで、書き換え装置による表示制御の予約が行える。
【００２１】
本発明では、上記のセンサ識別情報に加えて各画像表示媒体を識別する媒体識別情報を用い、センサ識別情報と媒体識別情報との組み合わせにより、より細かく処理の種類を設定するようにしてもよい。より具体的には、例えば、画像表示媒体は、ユーザによる操作を検知する機能と、検知状態となると無線読み取り可能とするセンサ識別情報を送信（保持）する機能とを有する受動的なセンサを操作の種類に対応して複数有して、当該センサによりユーザからの操作入力を受け付ける操作子と、操作子に操作入力された操作情報を無線読み取り可能に送信する情報提供手段とを構成し、更に、自己を識別する媒体識別情報を無線読み取り可能に保持する媒体ＩＤ記憶手段を有し、書き換え装置は、センサ識別情報と媒体識別情報との組み合わせに応じて文書データに係る処理の種類が予め設定された対応テーブルを有し、読取手段によりセンサ識別情報に加えて画像表示媒体から媒体識別情報を無線読み取りし、処理手段により対応テーブルを参照して読み取ったセンサ識別情報と媒体識別情報とに応じて予め設定された文書データに係る処理を行うようにしてもよい。
【００２２】
また、本発明では、より具体的には、例えば、書き換え装置は処理の開始指示をユーザから受け付ける操作手段を有し、処理手段は保留している処理を開始指示の入力に応じて開始するようにして、予約された処理をその開始を確認した上で実行するようにしてもよい。
また、本発明では、より具体的には、例えば、書き換え装置は処理手段による処理開始を保留している状態を表示するインジケータを有し、処理開始の保留状態をユーザに認知させるようにしてもよい。
【００２３】
また、本発明では、より具体的には、例えば、画像表示媒体は、書込手段のドライバにより書き込み駆動されて文書画像を表示保持する機能を有した電気書き込み型の電子ペーパを用いる。
また、本発明では、より具体的には、例えば、画像表示媒体は、書込手段から投影された文書画像を転写して表示保持する機能を有した光書き込み型の電子ペーパを用いる。
【発明の効果】
【００２４】
本発明によると、画像表示媒体に入力された操作情報を書き換え装置が読み取り、装着された当該画像表示媒体に読み取った操作情報に応じて処理した文書画像を書き込むようにしたため、画像表示媒体を書き換え装置から切り離した状態でも、画像表示媒体に表示されている文書を扱う上で必要となる操作が、紙媒体に印刷された文書を扱うような自然な行為で行うことができ、しかも、操作入力された指示に基づく処理が画像表示媒体を書き換え装置に接続した際に実行されることにより、画像表示媒体で行った文書処理操作をユーザに余計な手間を掛けることなく自然な行為で容易に且つ的確に行うことができる。
【発明を実施するための最良の形態】
【００２５】
本発明を実施例に基づいて具体的に説明する。
図１には本例に係る文書処理操作システムの構成を示してあり、本例は図５及び図６に示すような電気書き込み型電子ペーパを用いたものである。
なお、電子ペーパを画像表示媒体として用いた例を説明するが、文書画像を書き換え可能且つ無電源状態で表示保持する機能と、ユーザからの操作入力を受け付ける複数の操作子と、いずれの操作子に操作入力がなされたかの操作情報を無線読み取り可能に送信（保持）する情報提供手段を有する他の装置を用いることもできる。
【００２６】
図３には本例に係るシステムの概要を示してあり、文書画像を書き換え可能且つ無電源状態で表示保持する電子ペーパＥＰを、文書画像の書き換え処理を行う書き換え装置Ｄに着脱自在に装着できるようになっている。なお、図３は電子ペーパＥＰを書き換え装置Ｄに装着した状態である。
書き換え装置Ｄには、処理の開始指示をユーザから受け付ける操作部ボタン１０、電子ペーパＥＰから読み取った操作情報による処理開始を保留している状態を表示するインジケータ１１が設けられている。
【００２７】
電子ペーパＥＰには、文書画像を書き換え可能且つ無電源状態で表示保持する表示部２、電子ペーパを識別するための表示媒体ＩＤを無線読み取り可能に保持するＲＦＩＤ３、文書処理の種類に対応付けて設けられたセンサＩＤをユーザの操作入力がなされたことを条件に無線読み取り可能に送信する複数（本例では３つ）のパッシブなワイヤレスセンサ４が設けられている。なお、本例では、センサＩＤ（更には、表示媒体ＩＤとの組み合わせ）が操作内容を示す操作情報となる。
本例のシステムによると、例えば、電子ペーパＥＰに表示している文書を次のページに捲る操作指示を入力し、当該電子ペーパＥＰを書き換え装置Ｄに装着することで、図４に示すように、表示部２に表示保持される文書が次ページに捲られて表示される。
なお、処理動作の詳細は語述する。
【００２８】
本例に用いる電気書き込み型電子ペーパＥＰは、例えばＡ４版の用紙のような大きさのフレキシブルな薄型画像表示媒体であり、大部分の面積を占める表示部２を有している。
このような電気書き込み型電子ペーパＥＰの表示部２は、書き換え装置Ｄに設けられたドライバに接続されて駆動され、文書画像を書き換え表示することができ、ドライバの駆動電力を除去しても表示部２に画像を表示状態で保持し続ける機能を有している。
【００２９】
電気書き込み型電子ペーパＥＰの表示部２は、その断面構造を表す図６に示すように、複写機にトナーとして利用されている微細な着色粒子（図示の例では、白色粒子２１と黒色粒子２２）を少なくとも表面側が透明な表裏一対の電極２３間に封入し、これを少なくとも表面側が透明な表裏一対のフィルム基板２４で挟んだ構造となっている。着色粒子２１、２２が自由に移動できるように電極層２３間は空気層となっており、また、マトリックス状の電極層２３には着色粒子２１、２２との接触を防止する絶縁層２５が設けられている。なお、カラーフィルターを用いることにより、簡単な構造でカラー表示を実現することも可能である。
【００３０】
そして、電気書き込み型電子ペーパＥＰの表示部２は、その動作原理を表す図５に示すように、電極２３に電圧を印加していない状態（但し、電極２３は前回の駆動時の極性に帯電している）では、負（マイナス）に帯電した白色粒子２１は裏面側に溜まる一方、正（プラス）に帯電した黒色粒子２２は表面側に溜まり、表示部２を表面側から目視すると表示部２は黒色な状態となる。そして、電子データに基づいてドライバが動作して表示する情報画像に応じたマトリックスの所要部の電極極性を反転させると、白色粒子２１と黒色粒子２２との位置関係が入れ替わって、表示部２に白色粒子２１と黒色粒子２２とのコントラストによる画像情報が表示される。なお、異なる電子データに基づいてドライバを動作させることにより、白色粒子２１と黒色粒子２２とのコントラストにより表示部２に表示される画像情報を切り換えることができ、幾度も再使用することができる。
したがって、電気書き込み型電子ペーパＥＰは、紙のように薄く柔軟である性質に加えて、表示部２に表示した画像情報を無電源保持する性質があるので、あたかも紙の如く用いることができる画像表示媒体である。
【００３１】
上記のような電子ペーパＥＰを画像表示媒体として用いた文書処理操作システムは、図１に示すように、電子ペーパＥＰと書き換え装置Ｄとを備えており、電子ペーパＥＰに設けられた接続部５と書き換え装置Ｄに設けられた接続部１２は着脱自在に電気接続される。
書き換え装置Ｄは、電子ペーパＥＰに書き込むための文書データを記憶する文書記憶部１３、図２に示すように表示媒体ＩＤ及びセンサＩＤに文書処理の内容を対応付けた判定テーブル１４、所定の通信範囲内に存する電子ペーパＥＰから表示媒体ＩＤ及びセンサＩＤを無線読み取りする読取部１５、読み取った表示媒体ＩＤ及びセンサＩＤに応じて判定テーブル１４に予め設定された文書データに係る処理を行う処理部１６、処理部１６による制御に応じて表示媒体ＩＤ及びセンサＩＤを読み取った電子ペーパＥＰに文書画像を書き込むドライバ（書込手段）１７とを備えている。
【００３２】
判定テーブル１４には、図２（ａ）（ｂ）に示すような設定がなされており、表示媒体ＩＤ（図示では、２つの電子ペーパについてＭ０００１とＭ０００２）及びセンサＩＤ（図示では３つのパッシブセンサについてＳａ０００１、Ｓｂ０００１、Ｓｃ０００１）に応じて文書処理内容（操作機能：Ｆｎ０００１〜０００５）が予め設定されている。例えば、電子ペーパＥＰから表示媒体ＩＤ（Ｍ０００２）及びセンサＩＤ（Ｓａ０００１）を読み取った場合には、現在電子ペーパＥＰに表示保持されている文書画像を白紙画像を書き込むことで消去する処理（Ｆｎ０００１）がなされる。
なお、本例では、表示媒体ＩＤ及びセンサＩＤに処理の内容を対応付けて設定しているので、電子ペーパＥＰ毎（すなわち、そのユーザ毎）に適した文書処理方法を設定することができるが、本発明では、表示媒体ＩＤを用いずに、センサＩＤに処理の内容を対応付けて設定するようにしてもよい。
【００３３】
ここで、パッシブセンサ４は、ボタン状の操作子と、操作によって極性を反転することで操作情報を保持するＲＦＩＤメモリとを一体化した素子であり、極性が反転した（すなわち、ユーザがボタンを押下操作した）ＲＦＩＤメモリのみが読取部１５が発振する電波により電力が供給されて起動し、そのセンサＩＤが読取部１５により読み取られる。
【００３４】
上記の本例に係るシステムによる処理を説明する。
ユーザが、電子ペーパＥＰに設けられているパッシブセンサ４の内の所望する文書処理に対応するものを１つ（もしくは１つずつ、または複数を同時に）操作すると、当該操作情報はパッシブセンサにより保持される。
そして、ユーザが電子ペーパＥＰを書き換え装置Ｄの通信圏内に持ち込むと、読取部１５が、当該電子ペーパＥＰのＲＦＩＤ３から表示媒体ＩＤを読み取り、上記操作されたパッシブセンサ４からそのセンサＩＤを読み取る。
【００３５】
このように表示媒体ＩＤとセンサＩＤを読み取ると、処理部１６がインジケータを点灯させて文書処理が待機状態（予約状態）であることを表示する。
そして、ユーザが電子ペーパＥＰを書き換え装置Ｄに装着して接続部５、１２を接続させ、操作部１０から開始指示を入力すると、処理部１６が、判定テーブル１４を参照して、待機していたセンサＩＤと表示媒体ＩＤとの組み合わせに対応する文書処理（動作機能）を決定し、当該文書処理に必要な文書データを文書記憶部１３から取得して、当該文書データに基づいてドライバ１７を制御する。ドライバ１７は接続部１２、５を介して電機接続された表示部２を駆動して、文書画像を表示部２に書込み表示する。
【００３６】
すなわち、電子ペーパＥＰに対してなされたユーザ操作に応じて、当該電子ペーパＥＰが表示する文書画像が消去、次ページ、前ページ、文書リスト等といったように書き換えられる。
なお、本例では、書き換え装置Ｄに処理が予約されていることをインジケータ１１で表示することでユーザが容易に状況把握できるようにし、更に、操作部１０からのユーザ指示で処理を開始することでユーザの意思確認を行っているが、本発明では、これらを省略しても所期の目的を達成することができる。
【００３７】
図７には本発明の他の例に係る文書処理操作システムの構成を示してあり、本例は図８乃至図１０に示すような光書き込み型電子ペーパを用いたものである。なお、図１に示した例と同様な機能部分は同一符号を付して重複する説明は省略する。
【００３８】
本例の光書き込み型電子ペーパＥＰは、文書画像を表示保持する表示部２と、表示媒体ＩＤを保持するＲＦＩＤ３、パッシブセンサ４に加えて、表示部２に対する書き込み電圧を印加するための電極４０を有している。
光書き込み型電子ペーパＥＰは、例えばＡ４版の用紙のような大きさのフレキシブルな薄型であり、大部分の面積を占める表示部２に文書画像を無電源状態で表示保持する。
【００３９】
光書き込み型電子ペーパＥＰは、例えば、図８に示すように液晶パネル４１に文書画像を表示し、電極４０に外部の電源から電圧を印加しながら光書き込み型電子ペーパＥＰを液晶パネル４１に重ねて光を照射することにより、液晶パネル４１に表示させた画像を表示部２に転写して記憶させることができる。要は、光書き込み型電子ペーパＥＰは電極４０に電圧を印加することで投影された画像情報を表示部２に転写し、電極４０に印加した電圧を除去した後も当該画像情報を表示状態で保持し続ける機能を有している。
なお、光書き込み型電子ペーパＥＰを用いる場合は、書き換え装置に設けられた書込部１８は、自装置に装着された電子ペーパＥＰの電極４０に書き込み電圧を印加し且つ文書画像を表示部２に投影する機能を有する。
【００４０】
光書き込み型電子ペーパＥＰは、表示部２の断面構造を表す図１０に示すように、複写機に利用されている有機光導電性材料の層（有機光導電層）３０と液晶表示材料の層（マイクロカプセル化したコレステリック液晶層）３１とを組み合わせ、これら層を表裏一対の透明電極３２で挟み、この積層体を表裏一対の透明な基材フィルム３３で挟んだ構造となっている。なお、この構成では、コレステリック液晶層３１が光を反射する白表示と、光が液晶層３１を透過しコレステリック液晶層３１と有機光導電層３１の間に設けられた黒色層３４で吸収される黒表示のモノクロ画像表示が可能である。さらにコレステリック液晶には螺旋ピッチに応じたカラー光を干渉反射するという特性があるので、コレステリック液晶層３１を螺旋ピッチの異なる液晶を積層した構成にすることにより、簡単な構造でカラー表示を実現することも可能である。
【００４１】
そして、光書き込み型電子ペーパＥＰは、表示部２の動作原理を表す図９に示すように、例えば画像書込み用の調光素子パネル（発光パネル）４１に転写する画像を表示して表示部２に投影し、電極４０に電圧を印加すると、光の強弱を瞬時に反射濃度に変換して当該投影画像を保持する。そして、電極４０に消去電圧を印加することにより表示部２に保持された画像情報を消去することができ、光書き込み型電子ペーパＥＰは書き込みと消去を繰り返して幾度も再使用することができる。なお、光書き込み型電子ペーパＥＰはこのような消去処理を行わずに、上記のように電極４０に電圧を印加して新たな画像を投影することにより、表示部２に保持されている画像情報を上書きすることもでき、このような上書き処理によっても幾度も再使用することができる。
したがって、光書き込み型電子ペーパＥＰは、紙のように薄く柔軟である性質に加えて、画像の投影により転写された画像情報を無電源保持する性質があるので、あたかもプリンタや複写機に使用する紙の如く用いることができ、しかも、繰り返し再使用することができる画像表示媒体である。
【００４２】
本例においても図１に示したシステムと同様な処理がなされる。
ユーザが、電子ペーパＥＰに設けられているパッシブセンサ４の内の所望する文書処理に対応するものを操作すると、当該操作情報はパッシブセンサにより保持される。
そして、ユーザが電子ペーパＥＰを書き換え装置Ｄの通信圏内に持ち込むと、読取部１５が、当該電子ペーパＥＰのＲＦＩＤ３から表示媒体ＩＤを読み取り、上記操作されたパッシブセンサ４からそのセンサＩＤを読み取る。
【００４３】
このように表示媒体ＩＤとセンサＩＤを読み取ると、処理部１６がインジケータを点灯させて文書処理が待機状態（予約状態）であることを表示する。
そして、ユーザが電子ペーパＥＰを書き換え装置Ｄに装着して書きこみ部１８に電極４０を接続させ、操作部１０から開始指示を入力すると、処理部１６が、判定テーブル１４を参照して、待機していたセンサＩＤと表示媒体ＩＤとの組み合わせに対応する文書処理（動作機能）を決定し、当該文書処理に必要な文書データを文書記憶部１３から取得して、当該文書データに基づいて書込部１８に文書画像を表示する。書込部１８は電極４０に電圧を印加して文書画像を表示部２に投影し、当該文書画像を表示部２に書込み表示する。
【図面の簡単な説明】
【００４４】
【図１】本発明の一実施例に係る文書処理操作システムの構成説明図である。
【図２】本発明の一実施例に係る判定テーブルの説明図である。
【図３】本発明の一実施例に係る文書処理操作システムの外観図である。
【図４】本発明の一実施例に係る電子ペーパの表示例を示す図である。
【図５】電気書き込み型電子ペーパの動作原理を説明する図である。
【図６】電気書き込み型電子ペーパの構造を説明する図である。
【図７】本発明の他の一実施例に係る文書処理操作システムの構成説明図である。
【図８】光書き込み型電子ペーパの使用方法を説明する図である。
【図９】光書き込み型電子ペーパの動作原理を説明する図である。
【図１０】光書き込み型電子ペーパの構造を説明する図である。
【図１１】パッシブセンサの一例に係る構造を説明する図である。
【符号の説明】
【００４５】
２：表示部、  ３：媒体ＩＤ、
４：パッシブセンサ、  １０：操作部、
１１：インジケータ、  １３：文書記憶部、
１４：判定テーブル、  １５：読取部、
１６：処理部、  １７：ドライバ、
１８：書込部、  Ｄ：書き換え装置、
ＥＰ：電子ペーパ、
【図１】
2007199471.tif 000003
【図２】
2007199471.tif 000004
【図３】
2007199471.tif 000005
【図４】
2007199471.tif 000006
【図５】
2007199471.tif 000007
【図６】
2007199471.tif 000008
【図７】
2007199471.tif 000009
【図８】
2007199471.tif 000010
【図９】
2007199471.tif 000011
【図１０】
2007199471.tif 000012
【図１１】
2007199471.tif 000013